(57)【要約】【課題】ロック状態を確実に維持できるにもかかわらず、使用者の明確な意図の許にロック解除操作するときはスイッチノブをオン位置側へ軽快に切り換えることができる、使い勝手に優れた小形電気機器のスイッチ構造を提供する。【解決手段】スイッチノブ５と、節度ピース２４と、外殻壁１ｄと節度ピース２４との間に設けられるロック構造と、ロック構造をロック解除操作するロック解除体２５と、スイッチ構造の終段に設けられるスイッチ端子２７などを含む。ロック構造は、外殻壁１ｄに形成されるロック段部４７と、節度ピース２４の側に設けられるロック爪４４とで構成する。節度ピース２４の面壁に両持ち支持される弾性アーム３５を設ける。弾性アーム３５のオン位置側の端部寄りに前記ロック爪４４を設け、ロック爪４４よりオフ位置側の弾性アーム３５の中途部にロック解除体２５を接当させる。【選択図】図１
2008080019.tif 000002
【特許請求の範囲】
【請求項１】
本体ケース（１）の外殻壁（１ｄ）の外面に設けられて往復スライドするスイッチノブ（５）と、外殻壁（１ｄ）の内面に配置されてスイッチノブ（５）と同行移動する節度ピース（２４）と、外殻壁（１ｄ）と節度ピース（２４）との間に設けられるロック構造と、スイッチノブ（５）に組み込まれてロック構造をロック解除操作するロック解除体（２５）と、節度ピース（２４）のスライド動作を受け継いで切り換え操作されるスイッチ端子（２７）とを含むスイッチ構造であって、
ロック構造が、外殻壁（１ｄ）の内面に形成されるロック段部（４７）と、節度ピース（２４）の側に設けられてロック段部（４７）でスライド不能に受け止められるロック爪（４４）とで構成されており、
節度ピース（２４）の面壁に両持ち支持される弾性アーム（３５）が設けられており、
弾性アーム（３５）のオン位置側の端部寄りに前記ロック爪（４４）が設けられ、ロック爪（４４）よりオフ位置側の弾性アーム（３５）の中途部にロック解除体（２５）が接当している小形電気機器のスイッチ構造。
【請求項２】
節度ピース（２４）と、節度ピース（２４）の内面に対向する固定壁（１ａ）との間に、オフ位置、および少なくともひとつのオン位置において弾性係合して、節度ピース（２４）およびスイッチノブ（５）を位置保持する節度構造が設けられており、
節度構造が、節度ピース（２４）の側に設けられて、同ピース（２４）の厚み方向へ弾性変形する節度アーム（３８）と、節度アーム（３８）と対向する固定壁（１ａ）に設けられる節度ベース（５１）と、節度アーム（３８）および節度ベース（５１）の接合面に設けられて、互いに凹凸係合する第１位置決め体（５２）と第２位置決め体（５３）とで構成してある請求項１記載の小形電気機器のスイッチ構造。
【請求項３】
節度ピース（２４）の面壁に両持ち支持される弾性アーム（３５）が設けられており、
弾性アーム（３５）の、少なくともオフ位置側のアーム基端の左右両側に、左右一対の節度アーム（３８）が配置してある請求項２記載の小形電気機器のスイッチ構造。
【請求項４】
節度ピース（２４）の面壁に外郭壁（１ｄ）と接当する複数個のスライド突起（３７）が突設されており、
スライド突起（３７）によって、節度ピース（２４）と外郭壁（１ｄ）との間に節度アーム（３８）の弾性変形を許す動作隙間（Ｅ）が確保してある請求項２または３記載の小形電気機器のスイッチ構造。
【請求項５】
スイッチ構造が、スイッチノブ（５）と、ロック解除体（２５）と、スイッチノブ（５）と同行移動する節度ピース（２４）と、ロック構造と、節度ピース（２４）のスライド動作を受け継いで揺動動作に変換する変換レバー（２６）と、変換レバー（２６）で切り換え操作されるスイッチ端子（２７）を含み、
スイッチ端子（２７）が変換レバー（２６）に対して、変換レバー（２６）の揺動動作に同行して往復揺動できるよう連動連結してある請求項１から４のいずれかに記載の小形電気機器のスイッチ構造。
【発明の詳細な説明】
【技術分野】
【０００１】
本発明は、電気かみそりやバリカンなどの小形電気機器に適用されるスイッチ構造に関する。
【背景技術】
【０００２】
本発明のスイッチ構造に関して特許文献１が公知である。そこでは電気かみそりの本体ケース（またはスイッチパネル）の内外に配置されるスイッチノブとロック体を兼ねる節度ピース、およびスイッチノブに組み付けられて、節度ピースをロック解除操作するロック解除ボタンなどでスイッチ構造を構成している。スイッチノブがオフ位置にあるときは、節度ピースに設けた係合部が本体ケースの内面に設けた係合段部で受け止められて、スイッチノブのオン位置側へのスライド切り換えが規制されており、ロック解除ボタンを押し込み操作して係合部と係合段部との係合を解除すると、スイッチノブをオン位置へ切り換えることができる。
【０００３】
本発明においては、スイッチ構造周辺部の防水化を実現するために、節度ピースのスライド動作を変換レバーで往復回動動作に変換し、変換レバーのレバー軸の変位動作によってスイッチ端子を切り換え操作するが、このように、スイッチノブのスライド動作を変換レバーで変換する形態のスイッチ構造は特許文献２に公知である。そこでは、節度ピースのスライド動作を変換レバーで往復回動動作に変換し、変換レバーと同行揺動する内操作レバーでスイッチ端子をスライド操作している。つまり、スライド−揺動―揺動−スライドの順に動作変換を行っている。
【０００４】
【特許文献１】特公平２−４８２６８号公報（第３頁左欄６〜２６行、第１図）
【特許文献２】特開２００２−３６９９８２号公報（段落番号００２８、図１３）
【発明の開示】
【発明が解決しようとする課題】
【０００５】
特許文献１のスイッチ構造によれば、ロック解除ボタンを押し込み操作しない限りはスイッチノブをオフ位置からオン位置側へ切り換え操作できない。しかし、片持ち支持した弾性アームの先端にロック構造の係合部を設けるので、係合部と本体ケースの内面に設けた係合段部との係合状態が解除されやすく、例えば、単にスイッチノブをオン位置側へスライド操作しようとしただけでロック解除ボタンが押し込み操作され、ロック状態が解除されるおそれがある。落下衝撃を受けた弾性アームがたわみ変形して、ロック状態が解除されるおそれもある。弾性アームが片持ち支持されていて、より小さな力でたわみ変形しやすいこともロック解除ボタンの誤動作を生じやすい要因となっている。
【０００６】
本体ケースの内面に突設した左右一対のピンと、両ピンの外側面を乗り越える弾性変形可能な位置決めアームでクリック構造を構成するので、ピンおよび位置決めアームの位置および形状精度に少しでもばらつきがあると、スイッチノブを切り換え操作するときの操作力、つまり、ピンを乗り越えるときの位置決めアームの変形抵抗が大小にばらつきやすく、とくに変形抵抗が小さくなる場合にスイッチノブを過剰操作しやすい。
【０００７】
特許文献２のスイッチ構造は、節度ピースの切り換え動作を、スライド−揺動―揺動−スライドの順に動作変換する。つまり、スライド動作を揺動動作に変換したうえで、揺動動作を再度スライド動作に変換してスイッチ端子を往復スライド操作する。そのためスイッチ構造が複雑になり、その分だけ組立に余分な手間が掛かるうえ、製造に要するコストが嵩む不利もある。
【０００８】
本発明の目的は、ロック状態を確実に維持できるにもかかわらず、使用者の明確な意図の許にロック解除操作するときはスイッチノブをオン位置側へ軽快に切り換えることができ、したがって従来のこの種のスイッチ構造に比べて安定した状態でオン・オフ切り換えを行いながら、オン位置およびオフ位置を確実に位置保持できる、使い勝手に優れた小形電気機器のスイッチ構造を提供することにある。
【課題を解決するための手段】
【０００９】
本発明のスイッチ構造は、本体ケース１の外殻壁１ｄの外面に設けられて往復スライドするスイッチノブ５と、外殻壁１ｄの内面に配置されてスイッチノブ５と同行移動する節度ピース２４と、外殻壁１ｄと節度ピース２４との間に設けられるロック構造と、スイッチノブ５に組み込まれてロック構造をロック解除操作するロック解除体２５と、節度ピース２４のスライド動作を受け継いで切り換え操作されるスイッチ端子２７とを含む。ロック構造は、外殻壁１ｄの内面に形成されるロック段部４７と、節度ピース２４の側に設けられてロック段部４７でスライド不能に受け止められるロック爪４４とで構成する。節度ピース２４の面壁に両持ち支持される弾性アーム３５を設ける。弾性アーム３５のオン位置側の端部寄りに前記ロック爪４４を設け、ロック爪４４よりオフ位置側の弾性アーム３５の中途部にロック解除体２５を接当させる。
【００１０】
節度ピース２４と、節度ピース２４の内面に対向する固定壁１ａとの間に、オフ位置、および少なくともひとつのオン位置において弾性係合して、節度ピース２４およびスイッチノブ５を位置保持する節度構造を設ける。節度構造は、節度ピース２４の側に設けられて、同ピース２４の厚み方向へ弾性変形する節度アーム３８と、節度アーム３８と対向する固定壁１ａに設けられる節度ベース５１と、節度アーム３８および節度ベース５１の接合面に設けられて、互いに凹凸係合する第１位置決め体５２と第２位置決め体５３とで構成する。
【００１１】
節度ピース２４の面壁に両持ち支持される弾性アーム３５を設ける。弾性アーム３５の、少なくともオフ位置側のアーム基端の左右両側に、左右一対の節度アーム３８を配置する。
【００１２】
節度ピース２４の面壁に外郭壁１ｄと接当する複数個のスライド突起３７を突設し、スライド突起３７によって、節度ピース２４と外郭壁１ｄとの間に節度アーム３８の弾性変形を許す動作隙間Ｅを確保する。
【００１３】
スイッチ構造は、スイッチノブ５と、ロック解除体２５と、スイッチノブ５と同行移動する節度ピース２４と、ロック構造と、節度ピース２４のスライド動作を受け継いで揺動動作に変換する変換レバー２６と、変換レバー２６で切り換え操作されるスイッチ端子２７を含む。スイッチ端子２７は変換レバー２６に対して、変換レバー２６の揺動動作に同行して往復揺動できるよう連動連結する。
【発明の効果】
【００１４】
本発明においては、同行移動するスイッチノブ５および節度ピース２４と、ロック構造と、ロック構造をロック解除操作するロック解除体２５と、節度ピース２４のスライド動作を受け継いで切り換え操作されるスイッチ端子２７などからなるスイッチ構造において、外殻壁１ｄの内面に形成されるロック段部４７と、節度ピース２４の側に設けられるロック爪４４とでロック構造を構成した。さらに、節度ピース２４の面壁に設けられる弾性アーム３５を両持ち支持構造として、弾性アーム３５のオン位置側の端部寄りに前記ロック爪４４を設け、ロック爪４４よりオフ位置側の弾性アーム３５の中途部にロック解除体２５を接当させるようにした。
【００１５】
上記のように、節度ピース２４に設けられる弾性アーム３５を両持ち支持構造とすると、片持ち支持した弾性アームに比べて、弾性アーム３５に設けたロック爪４４をより安定した状態で支持でき、弾性アーム３５がアーム長手方向と交差する方向に遊動変位することも規制できる。一定の力で弾性アーム３５が弾性変形されるときの変形量が大小にばらつくことも防止でき、全体としてロック爪４４とロック段部４７との係合状態を常に確実に維持して、ロック構造が不用意にロック解除操作さされるのを防止できる。
【００１６】
その一方で、弾性アーム３５のオン位置側の端部寄りにロック爪４４を設け、ロック爪４４よりオフ位置側の弾性アーム３５の中途部にロック解除体２５を接当させることにより、後述するように、使用者の明確な意図の許にロック解除ボタン２５が押し込み操作されるときは、ロック爪４４とロック段部４７との係合状態をより軽快にしかも確実に解除できるようにした。したがって、本発明のスイッチ構造によれば、ロック状態を確実に維持できるにもかかわらず、使用者の明確な意図の許にロック解除操作するときは、スイッチノブ５をオン位置側へ軽快に切り換えることができ、従来のこの種のスイッチ構造に比べて安定した状態でオン・オフ切り換えを行いながら、オン位置およびオフ位置を確実に位置保持できる使い勝手に優れたスイッチ構造が得られる。
【００１７】
ロック爪４４とロック段部４７との係合状態をより軽快にしかも確実に解除できるのは以下の理由による。ロック解除ボタン２５を押し込んで、ロック爪４４とロック段部４７との係合を解除するときは、ロック爪４４のロック段部４７との係合面４４ａが、節度ピース２４の進行方向に対して後傾する。そのため、ロック解除ボタン２５の押し込み量が不足していたとしても、先の係合面４４ａをロック段部４７に対して斜めに後傾した状態で接当させることができる。これにより、節度ピース２４がオン位置側へ移動するときの、ロック爪４４とロック段部４７との接当面における操作反力の分力をロック爪４４に作用させて、ロック爪４４がロック段部４７を乗り越えるのを補助でき、その分だけ両者４４・４７のロック解除操作を軽快に行うことができるからである。
【００１８】
節度ピース２４と固定壁１ａとの間に設けられる節度構造を、節度ピース２４の厚み方向へ弾性変形する節度アーム３８と、固定壁１ａに設けられる節度ベース５１と、両者３８・５１の接合面に設けられる第１位置決め体５２、および第２位置決め体５３とで構成すると、弾性アーム３５と節度アーム３８のたわみ方向が同一方向となる。このことは、ロック解除体２５で弾性アーム３５を押し込み操作して、ロック構造をロック解除操作するときの押し込み力によって、節度アーム３８を節度ベース５１に押し付けることができることを意味する。したがって、節度アーム３８と節度ベース５１の位置および形状精度にばらつきがあったとしても、これらのばらつきを吸収しながら節度動作を発揮でき、従来の節度構造に比べてより確実な節度感が得られ、しかもスイッチノブ５が過剰操作されるのを確実に防止できるスイッチ構造とすることができる。
【００１９】
両持ち支持される弾性アーム３５の、少なくともオフ位置側のアーム基端の左右両側に左右一対の節度アーム３８を配置するスイッチ構造によれば、ロック構造をロック解除操作するときのロック解除ボタン２５の押し込み力で、節度アーム３８が節度ベース５１に押し付けられるので、第１位置決め体５２と第２位置決め体５３が相対移動するときの接触圧力を大きくでき、その分だけクリック感を明確にして、スイッチノブ５がオン位置、またはオフ位置に切り換わったことを使用者に明確に感知させることができる。
【００２０】
節度ピース２４の面壁に外郭壁１ｄと接当する複数個のスライド突起３７を突設するスイッチ構造によれば、スライド突起３７のみが外郭壁１ｄ１ｄに接当した状態で節度ピース２４を上下スライドできるので、節度ピース２４がスイッチノブ５とともにスライド変位するときの摺接抵抗を小さくでき、その分だけスイッチノブ５のオン・オフ切り換えを軽快に行うことができる。また、スライド突起３７を設けることによって、節度ピース２４と外郭壁１ｄとの間に動作隙間Ｅを確保できるので、節度アーム３８が弾性変形するときにその一部が外郭壁１ｄに接当するのを避けて、節度アーム３８の節度ベース５１に対する係脱動作を円滑化できる。
【００２１】
上記の構成に加えて変換レバー２６を設け、変換レバー２６で節度ピース２４のスライド動作を揺動動作に変換し、スイッチ端子２７を変換レバー２６と同行揺動できるように連動連結したスイッチ構造によれば、節度ピース２４の動作を、スライド−揺動―揺動の順に変換するだけでスイッチ切り換えを行うことができるので、従来のこの種のスイッチ構造に比べて全体構造を簡素化し、同時に組立工数を削減でき、スイッチ構造の製造に要するコストを削減できる。揺動変位する変換レバー２６のレバー軸５７を利用して、簡単に防水構造を付加できる利点もある。
【発明を実施するための最良の形態】
【００２２】
（実施例）  図１ないし図８は本発明を水洗い式の電気かみそりに適用した実施例を示す。図２ないし図４において電気かみそりは、本体ケース１と、本体ケース１の内部に組み付けられる作動ユニット２と、本体ケース１の後面に組み付けられるトリマーユニット３などで構成する。本体ケース１は、上下面が開口する主ケース１ａと、主ケース１ａの下端開口に外嵌装着される底ケース１ｂと、主ケース１ａおよび底ケース１ｂの下半外面に外嵌される有底筒状の化粧ケース１ｃと、主ケース１ａの前面に係合装着されるスイッチパネル（外殻壁）１ｄとの四者で構成してある。底ケース１ｂおよび化粧ケース１ｃは、それぞれ作動ユニット２の電池枠４の下端にビス７・８で固定してある。スイッチパネル１ｄの外面に、後述するモーターへの通電状態を切り換えるスイッチ構造のスイッチノブ５が組み込まれ、スイッチパネル１ｄの下部に電気かみそりの運転状態を表示する表示灯６が設けてある。
【００２３】
作動ユニット２は、電池枠４に組み付けられる２次電池１０および回路基板１１などからなる電装品部と、電装品部の上部に設けられるかみそりヘッド１２とで構成してあり、電装品部のみが主ケース１ａの内部に収容される。かみそりヘッド１２は主ケース１ａにビスで締結されており、両者１ａ・１２の締結部分にシールリングを配置することにより電装品部が水密状に封止してある。回路基板１１には、先のスイッチノブ５で切り換え操作される接触端子２８や、制御回路を構成する電子部品、および表示灯６の光源となるＬＥＤなどが実装してある。
【００２４】
かみそりヘッド１２は、内刃１５および外刃１６とからなるメイン刃と、内刃１５の駆動源となるモーター１７と、内刃１５を駆動するためにモーター１７の回転動力を往復動力に変換する振動子１８と、これらの部材を収容するモーターホルダー１９、およびヘッドケース２０と、ヘッドケース２０に着脱される外刃ホルダー２１などで構成してある。トリマーユニット３の可動刃は、振動子１８の往復動力を受け継いで往復駆動される。図３に示すように、かみそりヘッド１２の中心軸線は、本体ケース１の中心軸線に対して前傾させてある。
【００２５】
上記のような電気かみそりにおいて、そのスイッチ構造を以下のように構成する点に本発明の特長がある。図５においてスイッチ構造は、スイッチパネル１ｄの外面に設けられて上下に往復スライドするスイッチノブ５と、スイッチパネル１ｄの内面に配置されてスイッチノブ５と同行移動する節度ピース２４と、スイッチパネル１ｄの内面と節度ピース２４との間に設けられるロック構造と、スイッチノブ５に組み込まれてロック構造をロック解除操作する三日月型のロック解除ボタン（ロック解除体）２５と、節度ピース２４のスライド動作を受け継いで揺動動作に変換する変換レバー２６と、変換レバー２６で切り換え操作されるスイッチ端子２７、および回路基板１１に設けられる接触端子２８などで構成する。
【００２６】
スイッチノブ５は下向きにすぼまる楯形状に形成してあり、その外面下側に指受突起５ａを有し（図３参照）、内面に４個の連結ピン３０が突設してある。指受突起５ａの上側のノブ壁には内外貫通状の開口５ｂが形成され、この開口５ｂにロック解除ボタン２５がノブ内面側から組み込まれて出没可能に支持してある。ロック解除ボタン２５には、抜け出し防止用の突起３１が形成してある。スイッチノブ５は、スイッチパネル１ｄの外面に設けたスライド凹部３２に組み付けられて、その下端がスライド凹部３２の下端で受け止められるオフ位置（図１および図２に示す状態）と、その上端がスライド凹部３２の上端で受け止められるオン位置との間を上下にスライド変位できる。
【００２７】
節度ピース２４は、平板状のピース本体３４を主体にして構成してあり、ピース本体３４の左右中央部の上半部に弾性アーム３５を一体に形成し、ピース本体３４の下端に斜めに傾く溝カム３６が一体に形成してある。弾性アーム３５の上寄りの左右両側方と、弾性アーム３５の下方との３箇所には、スイッチパネル１ｄの内面と接当するＶ字状の３個のスライド突起３７が突設されている。スライド突起３７を設けることによって、節度ピース２４とスイッチパネル１ｄとの間に後述する節度アーム３８の弾性変形を許す動作隙間Ｅが確保してある（図７参照）。
【００２８】
弾性アーム３５の下端側（オフ位置側）のアーム基端の左右両側には、左右一対の節度アーム３８が一体に形成してある。左右のスライド突起３７と弾性アーム３５との間、および節度アーム３８の上方で弾性アーム３５の左右両側との４個所には、スイッチノブ５の連結ピン３０を係合するためのピン穴３９が形成してある。
【００２９】
図６において弾性アーム３５は、上下中央の逆五角形状の弾性ベース４１と、弾性ベース４１の上縁を支持する左右一対の上支持アーム４２と、弾性ベース４１の下縁中央寄りを支持する左右一対の下支持アーム４３とで構成されていて、弾性アーム３５の全体が上下の支持アーム４２・４３で両持ち支持してある。弾性ベース４１の上端側（オン位置側）の端部両側には、ロック構造を構成する左右一対のロック爪４４がスイッチパネル１ｄの側へ向かって突設してある。また、弾性ベース４１の下端には、先のロック解除ボタン２５と接当する受動突起４５が膨出形成してある。ロック爪４４は、上面が平坦な三角形状の突起からなる。
【００３０】
ロック構造は、上記の弾性ベース４１に設けた一対のロック爪４４と、スイッチパネル１ｄのスライド凹部３２の内面に突設した左右一対のロック段部４７とで構成する。図７に示すようにロック段部４７は、下面が平坦な三角形状の突起からなる。スイッチノブ５がオフ位置にあるとき、ロック段部４７とロック爪４４とは、図１に示すように上下に係合しており、これによりオフ位置にあるスイッチノブ５が不用意にオン状態に切り換えられるのを防ぐことができる。図５に示すように、スイッチパネル１ｄにはスイッチノブ５の上下スライドを許す羽子板形の操作開口４８が形成してあり、この操作開口４８の上縁の左右にロック段部４７が下向きに突設してある。
【００３１】
スイッチノブ５をオン・オフの各位置において位置決めし、さらに切り換え操作時にクリック感を与えるために、主ケース（固定壁）１ａの外面と弾性ベース４１との間に節度構造を設けている。節度構造は、弾性ベース４１の厚み方向へ弾性変形できる片持ち支持状の節度アーム３８と、左右の節度アーム３８に対応して主ケース１ａの外面左右に突設される節度ベース５１と、節度アーム３８の上端（遊端）内面に設けられる半円状の突起からなる第１位置決め体５２と、第１位置決め体５２に対応して節度ベース５１に設けられる部分円弧状の２個の凹部からなる第２位置決め体５３とで構成してある。
【００３２】
図６に示すように、左右の節度アーム３８を、弾性アーム３５の下側アーム基端の左右両側に設けると、ロック解除操作するときのロック解除ボタン２５の押し込み力を節度アーム３８に受け止めさせることができるので、後述する第１位置決め体５２が第２位置決め体５３の間の突部を乗り越えるときの乗り越え抵抗を大きくでき、その分だけクリック感を明確にして、スイッチノブ５がオン位置あるいはオフ位置に切り換わったことを使用者に明確に感知させることができる。
【００３３】
節度ピース２４のスライド動作を受け継いで揺動動作に変換するために、節度ピース２４の内面下方に変換レバー２６を設け、両者２４・２６をカム機構を介して連結している。変換レバー２６は、レバー本体５６と、レバー本体５６の下端基部の内面に突設されるレバー軸５７と、レバー軸５７の突端側に形成される断面四角形状の連結軸５８と、レバー本体５６の揺動先端の外面に突設されるカムピン５９とを一体に備えている。
【００３４】
変換レバー２６のレバー軸５７は、主ケース１ａに設けた軸受穴６１で揺動可能に軸支される。軸受穴６１の外面周縁にはボス６２が形成してあり、ボス６２とレバー軸５７との間に組み付けたシールリング６３で軸受穴６１が水密状に封止してある。ボス６２の左右には、レバー本体５６の基部を分離不能に、しかし往復用動は可能に係合保持する左右一対の保持爪６４が突設してある。
【００３５】
カム機構は、節度ピース２４の下端に設けた溝カム３６とカムピン５９とで構成してあり、節度ピース２４がスイッチノブ５とともに上下スライドするとき、斜めに傾く溝カム３６でカムピン５９を左右に往復揺動することにより、変換レバー２６をオフ位置（図６に示す状態）と、オン位置（図８に示す状態）とに切り換え操作できる。その詳細は後述する。
【００３６】
スイッチ端子２７は、小判形の端子ベース６６と、端子ベース６６の内面に固定される左右一対の銅板製の端子板６７とで構成してある。端子ベース６６の中央外面には、先の連結軸５８を係合連結するための連結穴６８が凹み形成してあり、端子ベース６６の中央内面には揺動軸６９が形成され、揺動軸６９の上下に抜止脚７０が突設してある。揺動軸６９の一側に矯正ピン７１が突設してある。
【００３７】
基板１１の板面に設けた軸受穴７３に揺動軸６９を、部分円弧状のガイド溝７４に矯正ピン７１をそれぞれ組み付け、軸受穴７３の上下に設けた連結溝７５に抜止脚７０を係合装着することにより、スイッチ端子２７を基板と一体化し、揺動軸６９を中心にして左右揺動可能に支持できる。この組み付け状態において、端子板６７は弾性変形して基板１１の表面に圧接しており、図８に示すようにスイッチ端子２７をオン位置へ切り換えた状態において、端子板６７は基板１１に埋設した接触端子２８と密接して、上下一対ずつの接触端子２８を導通させる。
【００３８】
スイッチノブ５がオフ位置にあるとき、節度ピース２４に設けたロック爪４４とスイッチパネル１ｄに設けたロック段部４７とは、図１に示すように上下に係合しているので、スイッチピース５を押し上げ操作することはできない。このとき、変換レバー２６およびスイッチ端子２６は図６に向かって左側へ傾いており、カムピン５９は溝カム３６の傾斜上端に位置している。
【００３９】
この状態から、ロック解除ボタン２５を押し込み操作すると、図７に示すように上下の支持アーム４２・４３を弾性変形させながら、弾性ベース４１がケース内方へ押し込まれ、ロック爪４４とロック段部４７との係合状態が解除される。この状態でスイッチノブ５を押し上げ操作すると、節度アーム３８を弾性変形させながら、第１位置決め体５２が下方の第２位置決め体５３から抜け出て、両位置決め体５２・５３の間の突部に乗りあがり、上方の第２位置決め体５３へと落ち込む。第１位置決め体５２が両位置決め体５２・５３の間の突部を乗り越えるとき、弾性変形した節度アーム３８の先端はピース本体３４の板面からスイッチパネル１ｄの側へ突出するが、スライド突起３７によって動作隙間Ｅが確保してあるので、節度アーム３８がスイッチパネル１ｄと接当干渉するのを防止できる。
【００４０】
スイッチノブ５の上方移動に伴って、溝カム３６が節度ピース２４とともに上方移動するとき、カムピン５９と節度ピース２４との隣接間隔が大きくなる。そのため、カムピン５９は溝カム３６に案内されて傾斜下端側へ相対移動しながら揺動操作される。カムピン５９の相対移動に伴って、変換レバー２６は図６において時計回転方向へ揺動し、最終的に図８に示すようにオン状態に切り換わる。なお、スイッチノブ５をオフ位置へ戻すときは、各部材は上記の動作を逆に辿り、ロック爪４４がロック段部４７を乗り越えて再係合することにより、スイッチノブ５をオフ位置に保持できる。ロック解除ボタン２５は、弾性ベース４１が自由状態に復帰する力によって押し戻されて、図１に示す待機姿勢に復帰する。
【００４１】
以上のように、弾性アーム３５の弾性ベース４１が上下の支持アーム４２・４３で両持ち状に支持してあると、弾性アームが片持ち支持されていた従来構造に比べて、弾性ベース４１を上下の支持アーム４２・４３で安定的に支持して、ロック爪４４とロック段部４７との係合状態を確実に維持できる。落下衝撃などによって、弾性ベース４１がロック解除方向へ変位することも良く防止できる。したがって、使用者の明確な意図の許にロック解除ボタン２５を押し込み操作しない限りはロック状態を保持して、ロック解除ボタン２５の誤動作を一掃できる。
【００４２】
節度ピース２４はスイッチパネル１ｄの内面に沿って上下動するが、そのピース本体３４に設けた３個のスライド突起３７のみがスイッチパネル１ｄに接当した状態で上下動するので、節度ピース２４がスイッチノブ５とともにスライド変位するときの摺接抵抗を小さくでき、その分だけスイッチノブ５のオン・オフ切り換えを軽快に行うことができる。節度ピース２４の上下動作を、変換レバー２６で揺動動作に変換して、スイッチ端子２７を往復揺動操作してオン・オフ切り換えを行うので、スライド−揺動―揺動−スライドの順に動作変換する従来のスイッチ構造に比べて全体構造を簡素化し、さらに組立の手間を省いて製造に要するコストを削減できる。
【００４３】
弾性アーム３５のオン位置側の端部寄りにロック爪４４を設け、ロック爪４４よりオフ位置側の弾性アーム３５の中途部にロック解除体２５を接当させるスイッチ構造によれば、図７に示すようにロック解除ボタン２５で弾性ベース４１を押し込んで、ロック爪４４とロック段部４７との係合を解除するとき、ロック爪４４のロック段部４７との係合面４４ａを、節度ピース２４に進行方向に対して後傾させることができる。そのため、ロック解除ボタン２５による弾性ベース４１の押し込み量が少なかったとしても、ロック段部４７に対して先の係合面４４ａが斜めに後傾した状態で接当するので、節度ピース２４が上方移動するときの、係合面４４ａとロック段部４７との接当面における押し上げ反力の分力をロック爪４４に作用させて、両者４４・４７のロック解除をより軽快に行うことができる。
【００４４】
因みに、上記とは逆にロック爪４４よりオン位置側の弾性アーム３５の中途部にロック解除体２５を接当させる場合には、ロック爪４４の係合面４４ａが節度ピース２４の進行方向と同じ方向へ前傾して、ロック段部４７に対して突っ支い棒のように接当するので、弾性ベース４１を充分に押し込み操作して両者４４・４７を常に完全に分離操作する必要があり、スイッチノブ５のオン位置への切り換え操作を軽快に行うことができない。
【００４５】
図９は節度構造の別実施例を示す。そこでは主ケース１ａの外面左右に、３個の突起７７・７７・７８を上下に隣接する状態で突設して、上下両端の突起７７・７７と中央の突起７８との間に形成される凹部を第２位置決め体５３とした。節度アーム３８の第１位置決め体５２は、中央の突起７８を乗り越えて上側または下側の第２位置決め体５３に落み込み係合する。このように、第２位置決め体５３は複数個の突起７７・７８で形成することができる。他は先の実施例と同じであるので、同じ部材に同じ符号を付してその説明を省略する。
【００４６】
上記の実施例以外に、第１位置決め体５２を凹部で形成し、第２位置決め体５３を突起で形成することができる。上記の実施例では本体ケース１が４個のケース部品で構成してある場合について説明したが、本体ケース１は１ないし２個のケース部品で構成することができる。その場合には、本体ケース１を外殻壁として、その内外にスイッチノブ５と節度ピース２４を配置することができ、本体ケース１の内部に配置した基板１１を固定壁として、その外面に節度ベース５１を設けることができる。
【００４７】
水洗い式ではない電気かみそり等においては、変換レバー２６を省略して節度ピース２４でスイッチ端子２７を直接切り換え操作することができる。オン位置が複数位置に設けてある場合には、第２位置決め体５３、または第１位置決め体５２をオン位置に応じて３個以上設けることができる。ロック解除体２５は押しボタン構造である必要はなく、スイッチノブ５の厚み方向に揺動変位するレバーで構成することができる。弾性アーム３５は両持ち支持構造であればよく、例えば弾性ベース４１の上下が弾性変形可能な上下１個ずつの支持アーム４２・４３で支持してあってもよい。弾性アーム３５は、線ばねあるいは板ばねなどの補助ばねを使用してロック付勢することができる。
【図面の簡単な説明】
【００４８】
【図１】スイッチ構造を示す縦断側面図である。
【図２】電気かみそりの正面図である。
【図３】電気かみそりの側面図である。
【図４】電気かみそりの分解断面図である。
【図５】スイッチ構造の分解斜視図である。
【図６】オフ状態におけるスイッチ構造の正面図である。
【図７】ロック爪をロック解除操作した状態の縦断側面図である。
【図８】オン状態に切り換えたスイッチ構造の正面図である。
【図９】節度構造の別実施例を示す断面図である。
【符号の説明】
【００４９】
１  本体ケース
１ｄ  スイッチパネル（外殻壁）
５  スイッチノブ
２４  節度ピース
２５  ロック解除ボタン（ロック解除体）
２７  スイッチ端子
３５  弾性アーム
３８  節度アーム
４４  ロック爪
４７  ロック段部
【図１】
2008080019.tif 000003
【図２】
2008080019.tif 000004
【図３】
2008080019.tif 000005
【図４】
2008080019.tif 000006
【図５】
2008080019.tif 000007
【図６】
2008080019.tif 000008
【図７】
2008080019.tif 000009
【図８】
2008080019.tif 000010
【図９】
2008080019.tif 000011